Podtech/llm-jp-corpus-v4-ja_patent huggingface dataset:
(57)【要約】      （修正有）【課題】様々な大きさの菓子袋やポリ袋等を捨てずに、ごみ袋として再利用することが可能な袋保持器具を提供する。【解決手段】袋支持器具１は、袋が着脱される袋支持輪１０と、袋支持輪１０が着脱される脚部とを備え、脚部はベース部２０と、ベース部２０に接続された３つの第１支柱３０、第２支柱３２、及び第３支柱３４とを備え、各支柱３０、３２、３４の上端に袋支持輪１０を着脱できる第１支持部３１、第２支持部３３、及び第３支持部３５がそれぞれ設けられている。【選択図】図１
0003234485.tif 000002
【実用新案登録請求の範囲】
【請求項１】
袋が着脱される袋支持輪と、
前記袋支持輪が着脱される脚部と、
を備え、
前記脚部はベース部と、
前記ベース部に接続された複数の支柱と、
を備え、
前記支柱の上端に前記袋支持輪を着脱できる支持部が設けられている、
ことを特徴とする袋支持器具。
【請求項２】
前記支柱が３本であることを特徴とする請求項１に記載の袋支持器具。
【請求項３】
前記ベース部が皿形状であることを特徴とする請求項１または請求項２に記載の袋支持器具。
【考案の詳細な説明】
【技術分野】
【０００１】
本考案は、菓子袋、ポリ袋等を保持する器具に関する。
【背景技術】
【０００２】
従来は、ごみ袋やレジ袋の開口部を保持する機能を有する考案がされていた。
【先行技術文献】
【特許文献】
【０００３】
【特許文献１】特開２０１６-０００６４６
【考案の概要】
【考案が解決しようとする課題】
【０００４】
特許文献１は、袋の持ち手部分に器具を引っ掛けることにより開口部を固定するものである。袋の持ち手部分がない菓子袋やポリ袋等には使用することができないという欠点があった。
【０００５】
本考案によると、レジ袋のみならず、様々な大きさの菓子袋やポリ袋等を捨てずに、ごみ袋として再利用することが可能である。
【課題を解決するための手段】
【０００６】
本考案の実施形態について、図１乃至図４を参照して説明する。図１は、本実施形態における袋保持器具１である。袋が着脱される袋支持輪１０と、前記袋支持輪１０が着脱される脚部とを備え、前記脚部はベース部２０と、前記ベース部２０に接続された複数の支柱とを備え、前記支柱の上端に前記袋支持輪１０を着脱できる支持部が設けられていることを特徴とする袋支持器具１である。
【考案の効果】
【０００７】
本考案によると、レジ袋のみならず、様々な大きさの菓子袋やポリ袋等を捨てずに、ごみ袋として再利用することが可能である。
【図面の簡単な説明】
【０００８】
【図１】袋保持器具１の外観を示す斜視図である。
【図２】袋支持輪の直径を変更する様子を示す斜視図である。
【図３】袋支持輪に袋を取り付けた様子を示す断面図である。
【図４】支柱にレジ袋を引っ掛けた様子を示す平面図である。
【考案を実施するための形態】
【０００９】
本考案の実施形態について、図１乃至図４を参照して説明する。
[１．構成]
【００１０】
図１は、本実施形態における袋保持器具１である。袋が着脱される袋支持輪１０と、前記袋支持輪１０が着脱される脚部とを備え、前記脚部はベース部２０と、前記ベース部２０に接続された３つの第１支柱３０、第２支柱３２、及び第３支柱３４とを備え、前記支柱の上端に前記袋支持輪１０を着脱できる第１支持部３１、第２支持部３３、及び第３支持部３５が設けられていることを特徴とする袋支持器具１である。
【００１１】
袋支持輪１０は、菓子袋やポリ袋等を取り付けるものである。菓子袋やポリ袋等は、大きさも様々であるため、袋支持輪１０は、調節部１１をスライドさせることにより袋支持輪１０の開口の直径を３ｃｍから１２ｃｍに調整できるようになっている（図２）。すなわち、袋支持輪１０の開口の直径を調節することにより、袋の入り口を最大で約２倍大きく、又は最小で約１/２小さくすることが可能である。袋支持輪１０の素材は、プラスチック等の合成樹脂等である。
【００１２】
また、菓子袋やポリ袋等を取り付けた袋支持輪１０は、シンク扉のフックに引っ掛けて使用することが可能である。さらに、菓子袋やポリ袋等を取り付けた袋支持輪１０は、塵取りとしても使用することが可能である。
【００１３】
ベース部２０は、袋保持器具１の土台である。ベース部２０は、リング形状でもよいし、皿形状でもよい。ベース部２０が皿形状の場合には、袋から漏れる水分を受けることが可能である。ベース部２０の素材は、プラスチック等の合成樹脂等である。
【００１４】
第１支柱３０、第２支柱３２、及び第３支柱３４は、ベース部２０に固定されている。第１支柱３０、第２支柱３２、及び第３支柱３４は、第１支柱３０、第２支柱３２、及び第３支柱３４の上部に袋支持輪１０を固定するための第１支持部３１、第２支持部３３、及び第３支持部３５を備えている。支柱は、１本でもよいし、２本でもよいし、３本以上あっても良い。
【００１５】
袋支持輪１０の直径とベース部２０の直径は、必ずしも同じとは限らない。袋支持輪１０の直径とベース部２０の直径が異なる場合、第１支柱３０、第２支柱３２、及び第３支柱３４は、袋支持輪１０の直径に応じて、弾性変形し、傾斜角度が変わる。弾性変形するのは、第１支柱３０、第２支柱３２、及び第３支柱３４またはベース部２０の何れでもよい。第１支柱３０、第２支柱３２、及び第３支柱３４の素材は、プラスチック等の合成樹脂等である。
【００１６】
図３は、袋を袋支持輪１０に装着した場合の断面図である。袋の開口部を袋支持輪１０に通し、巻き付けるように装着する。第１支柱３０、第２支柱３２、及び第３支柱３４の上部の第１支持部３１、第２支持部３３、及び第３支持部３５との摩擦により、袋を支持することが可能である。
【００１７】
図４は、第１支柱３０、第２支柱３２、及び第３支柱３４の上部の第１支持部３１、第２支持部３３、及び第３支持部３５にレジ袋等を引っ掛けたものである。これにより、ごみの分別が可能となる。
【００１８】
[２．効果]
本考案によると、レジ袋のみならず、様々な大きさの菓子袋やポリ袋等を捨てずに、ごみ袋として再利用することが可能である。
【符号の説明】
【００１９】
１            袋支持器具
１０          袋支持輪
１１          調節部
２０          ベース部
３０          第１支柱
３１          第１支持部
３２          第２支柱
３３          第２支持部
３４          第３支柱
３５          第３支持部
５０          袋１
５１          袋２
５２          袋３
５３          袋４
【図１】
0003234485.tif 000003
【図２】
0003234485.tif 000004
【図３】
0003234485.tif 000005
【図４】
0003234485.tif 000006
(57)【要約】      （修正有）【課題】トイレなどの密室に閉じ込められ緊急事態のとき、自力で脱出する手段としてのラッチロック解除プレートを提供する。【解決手段】柔軟性のある材質でできた、概長方形のプレートの一方の端部付近に切り欠き部５を設け、もう一方の端部には先端部近傍の長辺部から先端部にかけて緩やかなカーブ状の形状４を設けている。【選択図】図１
0003234419.tif 000002
【実用新案登録請求の範囲】
【請求項１】
柔軟性のある材質でできた、概長方形のプレートの一方の端部付近に切り欠き部を設け、もう一方の端部には先端部近傍の長辺部から先端部にかけて緩やかなカーブ状の形状を設けていることを特徴とするラッチロック解除プレート
【考案の詳細な説明】
【技術分野】
【０００１】密室などの閉鎖空間に閉じ込められ緊急事態、脱出の補助をする物品を提供する。
【背景技術】
【０００２】近年、建物の老朽化が進み錠前内部破損によるトイレ閉じ込め事故が多発しています。
従来、公共のトイレなどは閉じ込められたとき救助できるよう上部に透間が空いいるが、住宅などのトイレは透間が無くほぼ密室状態で家族がいれば助けを呼んで対処できるが、一人暮らしの場合は救助を呼ぶことも出来ず死活問題となる。
【考案の概要】
【考案が解決しようとする課題】
【０００３】トイレにラッチロック解除プレートを常備することにより閉鎖状態で救助連絡が出来なくとも自力で脱出することができる手段を提供することである。
【課題を解決するための手段】
【０００４】柔軟性のある材質でできた、概長方形のプレートの一方の端部付近に切り欠き部を設け、もう一方の端部には先端部近傍の長辺部から先端部にかけて緩やかなカーブ状の形状を設けていることを特徴とするラッチロック解除プレート
【考案の効果】
【０００５】これによりトイレなどの密室に閉じ込め事故が発生した場合、一人暮らしで救助連絡が出来なくとも自力で脱出することができる手段を提供出来る。
【図面の簡単な説明】
【０００６】
【図１】プレート状の形状図
【図２】内部からラッチロック解除プレートをドア透き間に挿入した図
【図３】外部からラッチロック解除プレートをドア透き間に挿入した図
【考案を実施するための形態】
【０００７】物品はポリエチレン又はポリプロピレンなどの折れ曲がっても復原性のある材質でプレートの寸法は、板厚約０．８〜１．０ｍｍ、長さ１５０ｍｍ、幅４０ｍｍのプレート状で切り欠き部位がある反対側の先端部分は斜めにカットされ緩やかなカーブ形状をしておりトイレなどの密室内部からでもドアノブに干渉すること無くドア本体とドア枠戸当たりの透き間へ挿入することができ、破損したラッチの斜め部分を平行に押し戻す部位を有し破損したラッチをシリンダー内に押し戻しドアを開ける。外側からは物品の反対側の先端から１２ｍｍのところに２４ｍｍ×２０ｍｍの長方形の切り欠き部位があり上部から破損したラッチにはまりこむようにドアとドア縦枠の透き間に挿入させラッチに引っ掻けて物品を手前に動かすことで切り欠き部がラッチの斜め部分を平行に押しラッチをシリンダー内に押し戻すことが出来る部位と長さを特徴とする物品。
【産業上の利用可能性】
【０００８】本考案は、トイレなどの密室に常備するものである。
上記目的のトイレ内部からの脱出を達成する為に、本考案におけるラッチロック解除プレート（図１：１）の（図２：２）部分を枠戸当たりの透き間へ挿入し斜め下へ押し込むことで（図２：６）のラッチを押し戻すことでドアを開けることが出来る。
外側から救助する場合は、ラッチロック解除プレート（図３：１）の（図３：５）切りかき部分を（図３：断面図：９）ドア縦枠透き間に入れ（図３：６）のラッチに引っ掻け手前に引くことでラッチを押し戻しドアを開けることが出来る。
【符号の説明】
【０００９】  １：ラッチロック解除プレート
２：ラッチ押し込み部位
３：ドアノブに干渉回避角度
４：先端面カーブ部分
５：切りかき部位
６：ラッチ
７：戸当たり
８：ドア縦枠
９：戸当たりとドアの透き間
１０：ドアノブ
１１：ストライク
【図１】
0003234419.tif 000003
【図２】
0003234419.tif 000004
【図３】
0003234419.tif 000005
(57)【要約】      （修正有）【課題】コンパクトな収納と移動がし易い幼児用フトン庫を提供する。【解決手段】幼児用フトン庫１は、上板１１、側板１２、裏板１３、底板１４、上扉１５、前扉１６、スノコ１７、前板１８、戸車１９からなり、数人分の幼児のフトンの収納は前扉１６と上扉１５を開けることにより容易に行なうことができ、幼児用フトン庫１を傾けた場合のみ戸車１９が床面に接触し、フトンを収納したまま移動をし易くした。【選択図】図２
0003234416.tif 000002
【実用新案登録請求の範囲】
【請求項１】
数人分の幼児のフトンの収納は前扉と上扉を開けることにより容易にし、収納したまま移動をし易くするため、フトン庫を傾けた場合のみ戸車が床面に接触し、移動をし易くしたことを特徴とする幼児用フトン庫。
【考案の詳細な説明】
【技術分野】
【０００１】本考案は木製の幼児用フトン庫に関する。
【背景技術】
【０００２】幼児が使用した昼寝用フトンをコンパクトに収納し、移動して間仕切りとしても使用したい。
【考案の概要】
【考案が解決しようとする課題】
【０００３】従来のフトンは押入れ又は物入れに収納し設置スペースには多くの空間を必要とした。
保育士にとってはフトンの収納と持ち運びは、職業病の１つである腰痛になりやすい。
【課題を解決するための手段】
【０００４】数人分の幼児のフトンの収納は前扉と上扉を開けることにより容易にし、収納したまま移動をし易くするため、フトン庫を傾けた場合のみ戸車が床面に接触し、移動をし易くしたことを特徴とする幼児用フトン庫。
【考案の効果】
【０００５】保育士は数人分の幼児のフトンを移動する場合、腰に大きな負担がかかる、本考案では一人の保育士がフトン庫を傾けるだけで移動できるため、腰への負担が極めて少なくなり、床へ置いた場合は容易に動かなくなり転倒をしない。数個を並べれば間仕切りとしても利用できる。
【図面の簡単な説明】
【０００６】
【図１】本考案の幼児用フトン庫の構成（内部斜視図）
【図２】本考案の幼児用フトン庫の構成（斜視図と断面図）  （ａ）斜視図  （ｂ）Ａ−Ａ断面図
【考案を実施するための形態】
【０００７】図１は本考案の幼児用フトン庫の構成（内部斜視図）である。
幼児用フトン庫１は、上板１１、側板１２、裏板１３、底板１４、上扉１５、前扉１６、スノコ１７、前板１８、戸車１９からなり、上扉１５と前扉１６を開けてフトンを収納する。
図２は本考案の幼児用フトン庫の構成を説明するための図で、（ａ）は斜視図、（ｂ）は断面図を示す。
（ｂ）はフトン庫の断面図で、換気を兼ねた手掛穴１２１を持ち、フトン庫を傾ければ戸車により容易に移動が可能となる。
【産業上の利用可能性】
【０００８】コンパクトな収納と移動し易い幼児用のフトン庫を提供する。
【符号の説明】
【０００９】１  幼児用フトン庫
１１  上板
１２  側板
１２１  手掛穴
１３  裏板
１４  底板
１５  上扉
１５１  ピアノ丁番
１５１１  戸当り
１５１１１  隙間
１５１１１１  戸当り
１６  前扉
１６１  スライド丁番
１７  スノコ
１８  前板
１９  戸車
【図１】
0003234416.tif 000003
【図２】
0003234416.tif 000004
【手続補正書】
【提出日】令和3年7月7日(2021.7.7)
【手続補正１】
【補正対象書類名】実用新案登録請求の範囲
【補正対象項目名】全文
【補正方法】変更
【補正の内容】
【実用新案登録請求の範囲】
【請求項１】
上板１１、側板１２、裏板１３、底板１４、上扉１５、前扉１６、スノコ１７、前板１８、戸車１９からなる幼児用フトン庫１であって、
前記戸車は、収納したまま移動をし易くするため、フトン庫を傾けた場合のみ床面に接触するように構成した幼児用フトン庫。
(57)【要約】      （修正有）【課題】車輌の車止めに際して、腰をかがめる事無く１回の動作で容易に設置完了出来る前後フレーム固定式車止めを提供する。【解決手段】前後一対の車止め２を強化プラスチックや金属のフレーム１で固定することにより腰を屈める事無く一動作で容易に設置出来る。軽自動車、普通車、中型車、又は大型車専用とする事で複雑な構造が必要と無くなりその分軽量化が可能となる。またフレーム部分に注意書き等を吊り下げることが出来、安全活動にも貢献が期待できる。【選択図】図１
0003234463.tif 000002
【実用新案登録請求の範囲】
【請求項１】
前後一対の車止めを金属等のフレームで固定することにより腰をかがめる事無く一動作で容易に設置できる前後フレーム固定式車止め
【請求項２】
注意書きや指示書き等のボード等を吊り下げることができる前後車止め固定フレーム
【考案の詳細な説明】
【技術分野】
【０００１】
本考案は、設置が容易な一体型固定式車止め装置に関するものである。
【背景技術】
【０００２】
宅配便等の配達業務で配達のため車両を停止する毎に予期せぬ車両の動きを防止するために車止めの設置は必須である。
【考案の概要】
【０００３】
しかし、車輪は前後に動くため従来型の車止めはロープ等で一対の形となっており腰をかがめて車輪の前後２回の設置動作が必要であった。これを腰をかがめる事無く１回の動作で設置完了しようとするものである。
【考案が解決しようとする課題】
【０００４】
宅配便車両は1台で１日に数十件から数百件の配達を行う。配達員は配達停車の度に腰をかがめて車止めを前後に設置するのは大変な労働力が必要となる。
【課題を解決するための手段】
【０００５】
この改善策として、前後の車止めを強化プラスチックや金属の棒、パイプでフレームを作り固定する。
【考案の効果】
【０００６】
フレームで前後一対の車止めを固定することにより腰をかがめる事無く一回の動作で容易に設置ができる。
【考案を実施するための形態】
【０００７】
車止めは、その車両専用に使用されることが多くフレーム部分の長さを変えて車両にあわせた軽自動車用、普通車用、中型車用、大型車用などの専用サイズ展開とする事でサイズ調整の複雑な構造は必要と無くなり、その分軽量化ができる。
【０００８】
フレーム部分は台形やコの字型等で上方に伸ばし腰をかがめる事無く容易に設置出来る高さが必要である。
【０００９】
必要であれば握りやすく取っ手を付ける。
【００１０】
強度が必要な場合は補強フレームをつける。
【産業上の利用可能性】
【００１１】
上方に伸ばし固定したフレーム部分に注意書きや指示書き等を吊り下げる事が出来、車両基地等で使用する場合は安全活動にも貢献が期待できる。
【先行技術文献】
【特許文献】
【００１２】
【特許文献１】実登3218816
【特許文献２】特開2013-226920
【特許文献３】特願平10-103345
【図面の簡単な説明】
【００１３】
【図１】図１はフレームにより固定された車止めを示した側面説明図である。
【図２】図２はフレームにより固定された車止めを示した正面説明図である。
【図３】図３はフレームの別形状例を示した説明図である。
【図４】図４はフレームに注意書きボード等の使用例を示した説明図である。
【符号の説明】
【００１４】
１ フレーム
２ 車止め
３ 車輪（タイヤ）
４ 取っ手
５ 補強フレーム
６ 注意書きボード等
【図１】
0003234463.tif 000003
【図２】
0003234463.tif 000004
【図３】
0003234463.tif 000005
【図４】
0003234463.tif 000006
【手続補正書】
【提出日】令和3年8月14日(2021.8.14)
【手続補正１】
【補正対象書類名】実用新案登録請求の範囲
【補正対象項目名】全文
【補正方法】変更
【補正の内容】
【実用新案登録請求の範囲】
【請求項１】
前後一対の車止めを金属、又は強化プラスチックのフレームで固定することにより腰をかがめる事無く一動作で容易に設置できる前後フレーム固定式車止め
【請求項２】
前後一対の車止めを固定したフレームであって、フレームの上方部分に、注意書きや指示書きのボードを吊り下げることができる、前後車止め固定フレーム
(57)【要約】      （修正有）【課題】小さな植木鉢にも使いやすく、土入れの分量調整もできる折りすぼまる園芸用土入れ器を提供する。【解決手段】折りすぼまる園芸用土入れ器は、略円筒状の土入れ器の壁面に、平行状又は放射状に複数の折り目３を設けた。【選択図】図３
0003234465.tif 000002
【実用新案登録請求の範囲】
【請求項１】
略円筒状の筒体型ショベルで、筒口の一方側即ち手に持った時の先端側が、手前側へ斜め楕円状に切り込まれた開口部が形成された園芸用土入れ器において、開口部側を正面、その裏側を背面、持ち手側を手前と称して、以下説明するのであるが、
正面の長手中央域において、手前端から先端迄通しで２本又は複数の平行した折目線が設けてあり、背面の長手中央域においても同様の折目線が設けてあることを特徴とする折りすぼまる園芸用土入れ器。
【請求項２】
複数の折目線において、背面先頂端から手前側端又は途中地点で、放射状に複数の折目線が形設されていることを特徴とする、請求項１に記載の折りすぼまる園芸用土入れ器。
【考案の詳細な説明】
【技術分野】
【０００１】  本考案は、植木鉢に砂や土や肥料を注ぎ入れる際に使用する土入れ器に関するものである。
【背景技術】
【０００２】  従来、砂や土や肥料を植木鉢に注ぎ入れる際には、主に硬質材で成る円筒形状の土入れ器か、軟質素材で成る土入れ器を使用していた（非特許文献１参照）。
【先行技術文献】
【０００３】
【非特許文献１】Ｙａｈｏｏ！ショッピング「園芸用土入れ」
【考案の概要】
【考案が解決しようとする課題】
【０００４】  従来の硬質材製の土入れ器の場合、大きな植木鉢ならよいが、小さな植木鉢に砂や土や肥料を入れようとすると、一度に大量に幅広く注ぎ入ってしまい、植木鉢から砂や土や肥料がこぼれ出てしまっていた。軟質材製土入れ器を使用すると、細く少量ずつ注ぎ入れる事は出来るが、固まった砂や土くれを突きほぐしたり、それや肥料を掬い取る際、先端が潰れてしまい、掬い取る事が出来なかった。
本考案は、以上の問題点を解決するためになされたものである。
【課題を解決するための手段】
【０００５】  略円筒状の筒体型ショベル（以下、筒体と称す）で、筒口の一方側即ち手に持った時の先端側が、手前側へ斜め楕円状に切り込まれた開口部が形成された園芸用土入れ器において、開口部側を正面、その裏側を背面、持ち手側を手前と称して、以下説明する。
正面の長手中央域において、手前端から先端迄通しで２本または複数の平行した折り線が設けてあり、背面の長手中央域においても同様の折り線が設けてある。
これにより、持った手の握りに力を加える程度に応じて、硬質素材で成る筒体であっても柔軟に細ぼることが出来るので、硬い土中に突き入れ易く、すぼめた先端で固まった土くれを突きほぐしたり、筒内で握りつぶして細かくほぐしたり、掬い取り易くなり、鉢やポットに土入れする時も、微妙な分量調整も自由にできる。
尚、複数の折り目線は、必ずしも平行である必要はなく、例えば、背面先頂端から手前側端又は途中地点まで、放射状に複数の折り目線が形設されておれば、より狭いスペースに施す土や肥料の微妙な分量調整も容易になるので、土入れ作業にまつわる様々な細かい用途に応じて使い分けすることも可能になる。
以上を特徴とする折りすぼまる園芸用土入れ器である。
【考案の効果】
【０００６】  小さな植木鉢にも細溝状にすぼめて土を少量ずつ注ぎ入れる事ができる。すぼめた先端で固まった砂や土や肥料を突きほぐしたり、先端を広げて掬い取る事も可能となる。
【図面の簡単な説明】
【０００７】
【図１】本考案における正面図
【図２】本考案における背面図
【図３】本考案における側面図
【図４】本考案における別の実施形態を示す背面図
【図５】図１に示された本考案において、握る力を加えて細くすぼめた状態を示す正面図
【図６】本考案を使用する際の握り方の一例を示す斜視図
【考案を実施するための形態】
【０００８】  筒体（１）の筒口の一方側即ち先端（４）側が手前側へ斜め楕円状に切り込まれた開口部（２）が形成された園芸用土入れ器において、正面の長手中央域において、手前端（６）から先端（４）迄通しで２本または複数の平行した折目線（３）が設けてあり、背面の長手中央域においても同様の折目線（３）が設けてある。
本考案は、以上の様な構成であり、以下実施の形態を説明する。
折目線により、持った手の握りに力を加える程度に応じて、硬質素材で成る筒体（１）であっても柔軟に細ぼることが出来るので、硬い土中に突き入れ易く、すぼめた先端（４）で固まった土くれを突きほぐしたり、筒内で握りつぶして細かくほぐしたり、掬い取り易くなり、鉢やポットに土入れする時も、微妙な分量調整も自由に出来る。
そのため、大きな植木鉢に土入れする際は、特に握る力を加えなくとも、土や肥料を普通に注ぎ入れるだけでよい。小さな植木鉢に土入れする際は、掬い取った土や肥料を、筒体（１）を少し強く握って、細かくつぶしほぐして注ぎ入れるとよい。
尚、複数の折目線（３）は、必ずしも平行である必要はなく、例えば、背面先頂端（５）から手前端（６）又は途中地点まで、放射状に複数の折り目線が形設されておれば、より狭いスペースに施す土や肥料の微妙な分量調整も容易になるので、土入れ作業にまつわる様々な細かい用途に応じて使い分けすることも可能になる。
【符号の説明】
【０００９】１  筒体，  ２  開口部，  ３  折目線，  ４  先端，  ５  先頂端，  ６  手前端
【図１】
0003234465.tif 000003
【図２】
0003234465.tif 000004
【図３】
0003234465.tif 000005
【図４】
0003234465.tif 000006
【図５】
0003234465.tif 000007
【図６】
0003234465.tif 000008
(57)【要約】      （修正有）【課題】ロウソク台にロウソクから垂れた蝋が付着するが、その付着した蝋の剥離作業を解消し溜まった蝋の除去も簡単に行える蝋受け皿を提供する。【解決手段】ロウソク台の針を通すための針穴のある円錐状の筒１とすり鉢状の受け皿３が一体化することで垂れた蝋がロウソク台に付着せず簡単に除去できる。すり鉢状の受け皿３は、花型の形状４とする。【選択図】図２
0003234467.tif 000002
【実用新案登録請求の範囲】
【請求項１】
円錐状の筒１の先端にロウソク台の針を通す針穴を設け、すり鉢状の受け皿３と一体化した蝋受け皿であって、すり鉢状の受け皿３は花形の形状４の蝋受け皿
【考案の詳細な説明】
【技術分野】
【０００１】  本考案は、ロウソクから垂れた蝋がロウソク台に付着することから防ぐとともに垂れた蝋の除去を容易にするものである。
【背景技術】
【０００２】  従来は、ロウソクから垂れた蝋は直接ロウソク台に付着していた。
【考案の概要】
【考案が解決しようとする課題】
【０００３】  ロウソクから垂れた蝋は徐々にロウソク台の底に付着し堆積していくが、これを剥離することは簡ではなかった。本考案は、この課題を解決しようとするものである。
【課題を解決するための手段】
【０００４】  ロウソク台の針を通す円錐状の筒とロウソクから垂れた蝋を溜めるすり鉢状の受け皿を一体化することで蝋をロウソク台に付着するのを防止することにより問題を解決している。
【考案の効果】
【０００５】  垂れた蝋がロウソク台と直接接触しないので蝋の剥離作業が不要であり且つ溜まった蝋の除去も簡単である。
【図面の簡単な説明】
【０００６】
【図１】本考案の平面図である。
【図２】本考案の斜視図である。
【図３】本考案の側面図である。
【図４】本考案とロウソクおよびロウソク台の断面図である。
【考案を実施するための形態】
【０００７】  ロウソク台の針に円錐状の筒を通して設置する。ロウソクを円錐状の筒の先端に被さるまで差し込むことによってロウソクを使用した際に発生する垂れた蝋はロウソク台の針およびロウソク台に付着することから防止することができる。
【実施例】
【０００８】  以下、添付図面に従って一実施例を説明する。１はロウソク台の針を通すための円錐状の筒、２はその先端の針穴である。円錐状の筒１の底辺からすり鉢状の受け皿３を一体化することで垂れた蝋がロウソク台に付着するのを防ぐ。またすり鉢状の受け皿３を花型の形状４にすることでロウソク台との視覚的な調和と美感を備える。ロウソク台の針を通すための円錐状の筒１は円錐状にすることでロウソク台によって異なる針の太に対しでもその太さに合わせて切断することで装着が可能である。溜まった蝋は蝋受け皿ごとロウソク台から引き抜き簡単に除去することができる。
【符号の説明】
【０００９】１  円錐状の筒
２  円錐状の筒の先端の針穴
３  すり鉢状の受け皿
４  花型の形状
５  ロウソク
６  ロウソク台の針
【図１】
0003234467.tif 000003
【図２】
0003234467.tif 000004
【図３】
0003234467.tif 000005
【図４】
0003234467.tif 000006
(57)【要約】      （修正有）【課題】回転差が発生しない、または回転差が小さいときでも、締結できるビスカス式回転差感応型トルク伝達装置を提供する。【解決手段】ケースの外部のスイッチとケースの内部に設けた一定の温度で作動が止まるヒーター５又は、ケースの内部に設けた一定の圧力で作動が止まるヒーターを設けたビスカス式回転差感応型トルク伝達装置。また、それらを組み合わせたビスカス式回転差感応型トルク伝達装置によって、ヒーターで強制的に内部の作動油を温めることで回転差が発生しない、または回転差が小さいときでも締結できる。【選択図】図１
0003234461.tif 000002
【実用新案登録請求の範囲】
【請求項１】
外部のスイッチと内部に一定の温度で作動が止まるヒーターを設けたビスカス式回転差感応型トルク伝達装置。
【請求項２】
外部のスイッチと内部に一定の圧力で作動が止まるヒーターを設けたビスカス式回転差感応型トルク伝達装置。
【請求項３】
請求項１と請求項２を組み合わせたビスカス式回転差感応型トルク伝達装置。
【考案の詳細な説明】
【技術分野】
【０００１】  本考案は、任意のタイミングに締結できるよう図ったビスカス式回転差感応型トルク伝達装置に関するものである。
【背景技術】
【０００２】  従来のビスカス式回転差感応型トルク伝達装置は、入力軸と出力軸の回転差が発生し、大きくなると締結するものがあった。（例えば、非特許文献１参照）
【先行技術文献】
【非特許文献】
【０００３】
【非特許文献１】青山元男著「最新オールカラークルマのメカニズム」株式会社ナツメ社  ２０１６年７月１０日
【考案の概要】
【考案が解決しようとする課題】
【０００４】  以上に述べた従来のビスカス式回転差感応型トルク伝達装置では、入力軸と出力軸の回転差が発生しないときや回転差が小さいときに締結させられなかった。
【課題を解決するための手段】
【０００５】  そこで、本考案は上記課題を解決するため、外部のスイッチと内部に一定の温度で作動が止まるヒーターか、外部のスイッチと内部に一定の圧力で作動が止まるヒーターを設けたビスカス式回転差感応型トルク伝達装置にした。また、それらを組み合わせたビスカス式回転差感応型トルク伝達装置にした。
【考案の効果】
【０００６】  本考案のビスカス式回転差感応型トルク伝達装置は、ヒーターで強制的に内部の作動油を温めることで回転差が発生しない、または回転差が小さいときでも締結できる。
【図面の簡単な説明】
【０００７】
【図１】  ビスカス式回転差感応型トルク伝達装置の断面図
【考案を実施するための形態】
【０００８】  以下、本考案の実施の形態を図面に基づいて説明する。
【０００９】  図において、金属などで１の入力軸と２のケース兼出力軸および３の入力軸側クラッチディスク、４の出力軸側クラッチディスクを作製する。そして５が電熱線などのヒーターである。
【符号の説明】
【００１０】１  入力軸
２  ケース兼出力軸
３  入力軸側クラッチディスク
４  出力軸側クラッチディスク
５  ヒーター
【図１】
0003234461.tif 000003
【手続補正書】
【提出日】令和3年7月6日(2021.7.6)
【手続補正１】
【補正対象書類名】実用新案登録請求の範囲
【補正対象項目名】全文
【補正方法】変更
【補正の内容】
【実用新案登録請求の範囲】
【請求項１】
ケースの外部にスイッチが設けられるとともに、前記ケースの内部にヒーターが設けられ、前記ヒーターが、一定の温度で作動が止まることを特徴とするビスカス式回転差感応型トルク伝達装置。
【請求項２】
ケースの外部にスイッチが設けられるとともに、前記ケースの内部にヒーターが設けられ、前記ヒーターが、一定の圧力で作動が止まることを特徴とするビスカス式回転差感応型トルク伝達装置。
【請求項３】
ケースの外部にスイッチが設けられるとともに、前記ケースの内部にヒーターが設けられ、前記ヒーターが、一定の温度及び一定の圧力で作動が止まることを特徴とするビスカス式回転差感応型トルク伝達装置。
(57)【要約】【課題】加工の手間を減らし、名刺１枚の厚さで保管に利便性をもたせながらも、名刺を渡した相手に意外性、注視性、興趣性を高め、使用者への直感的な好印象を与えせしめうる立体的な名刺を提供する事にある。【解決手段】名刺の肖像部分に切り抜きスリット３−ａを入れ、必要な場合は、飛び出し表示片３−ｂを、裏側１−ａから指で押して、表側１−ｂに起き上げ、固定したければ谷折り目４で折り曲げて置くことにより、立体的な肖像を形成できるようにして名刺を構成する。【選択図】図１
0003234464.tif 000002
【実用新案登録請求の範囲】
【請求項１】
名刺の表面に会社名、名前等と共に名刺使用者の肖像を印刷してなる名刺において、肖像部分の上部を切り抜き、残された胴部分を折り曲げ、引き起こして、肖像部分を立体的に形成してなることを特徴とする名刺。
【考案の詳細な説明】
【技術分野】
【０００１】  本考案は、主として名刺、さらに詳しくは名刺の使用者の顔写真や似顔絵、任意の絵柄や写真、意匠デザインの輪郭を一部切り抜いた名刺に関するものである。
【背景技術】
【０００２】従来から名刺に付加価値を付与すべく、単に氏名、住所、会社名、役職などを表示するだけでなく、カラフルなデザインとしたり、更には、例えば実用新安登録第３０２０３８４号、第３１４６２７６号、３１３３３１３号に開示されるように、氏名が表示される人物の顔を絵や写真で表示したり、立体化するなど、様々なアイデアが盛り込まれた名刺が種々提案されている。
【先行技術文献】
【０００３】
【特許文献１】実用新安登録第３０２０３８４号公報
【特許文献２】特開平９−２６３０７７号公報
【特許文献３】実用新安登録第３１４６２７６号公報
【特許文献４】特開平９−２６３０７７号公報
【考案の開示】
【考案が解決しようとする課題】
【０００４】    顔を名刺に載せた［特許文献１］実用新安登録第３０２０３８４号、顔を２つ折りの名刺で飛び出す仕組みで立体化した［特許文献２］実用新安登録第３１４６２７６号や、［特許文献３］実用新安登録第３１４６２７６号、さらに名刺上の意匠を完全に切り抜いて開口させた［特許文献４］特開平９−２６３０７７号と、名刺上の使用者の顔にインパクトを与える表現には、立体的な加工について複雑な断裁加工や、糊付け加工の手間がかかりすぎるとともに、２つ折りの立体名刺では、通常の１枚の名刺よりも、厚さが厚くなって保管するには不便であった。【０００５】本考案は、前記したような弊害をなくすため、加工の手間を減らし、名刺１枚の厚さで保管に利便性をもたせながらも、名刺を渡した相手に意外性、注視性、興趣性を高め、使用者への直感的な好印象を与えせしめうる立体的な名刺を提供する事にある。
【課題を解決するための手段】
【０００６】そこで、本考案は上記目的を達成するために、次のような構成にしている。即ち、通常の名刺の表面に表示事項（会社名、氏名等）と共に使用者の肖像を同時に印刷をした後、肖像部分の左右と頭上部分を切り込み、胴部分は切らずに残す。残された胴部分を手前に折り曲げる事によって立ち上がり状態ないし起き上がり状態となる飛び出し表示片が設けられる。
【考案の効果】
【０００７】この名刺上の肖像の立体化を、より簡便に創作する事により、注意喚起力、印象力を高め、従来の一般的な名刺との差別化、個性化が可能となる。また立体化の工程は、従来の名刺に切り込みを入れるだけである。かつ保管面では、従来通りの１枚だけの名刺である為、厚さに困難が無く従来通りの名刺保管が可能である。
【図面の簡単な説明】
【０００８】
【図１】  名刺本体（１）には、会社名、名前等の名刺表示事項（２）と肖像（３）を印刷する。肖像に切り抜きスリット（３−ａ）をいれる。通常はこのまま１枚の名刺として利用できる。肖像を立体として利用したい場合は、飛び出し表示片（３−ｂ）を、名刺の裏側（１−ａ）から名刺の表側（１−ｂ）に指で押す。打ち抜き部（３−ｃ）が開口した状態となり、飛び出し表示片（３−ｂ）が起き上がる。さらに、起き上がった状態を固定したい場合は、谷折り目（４）を任意に折り曲げると、容易に固定でき、そのまま手の上や机の上に置くなどして、名刺を立体的に展示でき印象的に外観せしめ得るものとなる。上記の名刺にあっては、その名刺の本人の名前等の情報とその人の顔を一致して認識する事ができ、受け取った人の記憶に強く印象づけることができる。
【符号の説明】１…名刺本体
１−ａ…裏側
１−ｂ…表側
２…名刺表示事項
３…肖像
３−ａ…切り抜きスリット
３−ｂ…飛び出し表示片
３−ｃ…打ち抜き部
４…谷折り目
【図１】
0003234464.tif 000003
(57)【要約】      （修正有）【課題】生後一か月ぐらいの赤ちゃんが遊ぶための赤ちゃん用の遊戯具を提供する。【解決手段】赤ちゃん用の遊戯具は、伸縮可能な紐状部材３と、紐状部材３の中央部に取り付けられる飾り部材２とを有し、紐状部材３は、一方の端部にベビーベッドにつけた付属のポール５又はドアノブに取り付け可能なフック１と、他方の端部に赤ちゃんの足に取り付け可能な輪っか又はリボン４を備える。赤ちゃん用の遊戯具は、生後一か月ぐらいの赤ちゃんが足を動かすことに着目したもので、足に遊具を結び付けることにより、赤ちゃんが足を動かせば飾りが音を立てたり動いたりする。赤ちゃんは次第に足を動かせば飾りが動くことを理解し、積極的に足を動かそうとするようになる。やがて、結んでいる足を交換すると、どちらの足に遊具がついているのかわかるようになる。自分で動かすことのできる最初のおもちゃとしても運動器具としても画期的なものである。【選択図】図１
0003234462.tif 000002
【実用新案登録請求の範囲】
【請求項１】
一か月児から遊べる遊具
【考案の詳細な説明】
【技術分野】
【０００１】  本考案は生後１か月児でも自分の足を動かして遊べる遊戯具である。
【背景技術】
【０００２】  赤ちゃんは自分で遊べないという概念を覆した技術である。
【考案の概要】
【考案の効果】
【０００３】      赤ちゃんが自発的に足を動かすことにより、よく運動するので、よく眠るようになる。また、脳の発達にもよい影響を与えるものだと思われる。
【図面の簡単な説明】
【０００４】
【図１】実際につけてみた図である。
【考案を実施するための形態】
【０００５】ベビーベッドにつけた付属のポールか、高い場所（ドアノブなど）にフックで取り付ける。赤ちゃんの目の上に飾り（鈴やリボン）が来るように調節する。
【実施例】
【０００６】  赤ちゃんが足を動かすと取り付けた鈴から音が出、リボンなどがゆれて赤ちゃんがよろこぶ。慣れてくると赤ちゃんはどちらの足で動くのかわかってくるので上下左右の動きを楽しむようになる。自分で運動するという概念のない赤ちゃんに遊びながら運動させることができる。
【産業上の利用可能性】
【０００７】  赤ちゃんのおもちゃを製造している会社で製造販売する可能性がある。
【符号の説明】
【０００８】  １  フック
２  揺れる飾り（鈴、リボン、モール、など）。２、３種類を交換可能にする。
３  伸び縮みする紐状のもの（ゴムなど）
４  わっか、またはリボン（赤ちゃんの足に結び付ける）
５  付属のポール（上にフックの受け口、下にベビーベッドへの固定器具）
６  ポールのベビーベッドへの固定器具
７  ３のフックの受け口
【図１】
0003234462.tif 000003
【手続補正書】
【提出日】令和3年7月7日(2021.7.7)
【手続補正１】
【補正対象書類名】実用新案登録請求の範囲
【補正対象項目名】全文
【補正方法】変更
【補正の内容】
【実用新案登録請求の範囲】
【請求項１】
赤ちゃん用の遊戯具であって、伸縮可能な紐状部材と、前記紐状部材の中央部に取り付けられる飾り部材とを有し、前記紐状部材は一方の端部にベビーベッドにつけた付属のポール又はドアノブに取り付け可能なフックと、他方の端部に赤ちゃんの足に取り付け可能な輪っか又はリボンを備える赤ちゃん用の遊戯具
(57)【要約】      （修正有）【課題】上部のコロニアル瓦が割れたり、老朽化によって捲れたりして釘穴から雨水が侵入して雨漏れの原因となることを防止するコロニアル瓦を提供する。【解決手段】コロニアル瓦１の固定用釘穴４にゴム、又は弾力材２を挿入して穴を塞ぐ。このとき釘穴４の上部は釘の頭頂部より広くなるようにゴム又は弾力材２を施工することによってコロニアル瓦１を屋根板に釘で固定すると釘とゴム、又は弾力材２が密着し、又、釘の頭頂部がゴム、又は弾力材２に圧着されて雨水の侵入を防止する。【選択図】図１
0003234447.tif 000002
【実用新案登録請求の範囲】
【請求項１】
固定用釘穴（４）を有するコロニアル瓦（１）、コロニアル瓦（１）を固定する釘（３）、釘（３）の頭頂部より釘穴（４）の上部を広く施工して穴を塞ぐゴム又は弾力材（２）、と一体とすることを特徴とするコロニアル瓦（１）。
【考案の詳細な説明】
【技術分野】
【０００１】  本考案はコロニアル瓦の固定用釘止め穴に関するものである。
【背景技術】
【０００２】  従来コロニアル瓦は，屋根板に瓦の釘穴を使って釘を打ち付けて瓦を固定し、上部に重ねるコロニアル瓦で下部の固定用釘の上に瓦を重ねて雨水が侵入するのを防いでいる。
【考案が解決しようとする課題】
【０００３】  従来のコロニアル瓦は下部のコロニアル瓦の固定用釘の上に上部のコロニアル瓦を重ねていく構造となっているが、上部に重ねたコロニアル瓦が割れたり、劣化等で瓦が捲れたりしたとき、下部のコロニアル瓦の釘穴から雨水が侵入し雨漏れの原因となる。
【課題を解決するための手段】
【０００４】  本考案はコロニアル瓦の固定用釘穴にゴム又は弾力材を挿入し釘穴を塞ぐ。この穴を塞ぐときゴム又は弾力材の釘穴上部は釘頭頂部より広く施工し、コロニアル瓦の釘穴を塞いだゴム又は弾力材に釘を刺し金槌で釘を打って屋根板に固定する。
【考案の効果】
【０００５】  コロニアル瓦の固定用釘穴をゴム、又は弾力材で塞いだコロニアル瓦の釘穴に釘を刺し金槌で釘を打って屋根板に固定すると、釘と釘の頭頂部がゴム、又は弾力材に密着、圧着される。このことにより上部の釘の上に重ねたコロニアル瓦が割れたり、老朽化で捲れたりしても雨水が侵入することがなく雨漏れを防止することが出来る。
【図面の簡単な説明】
【０００６】
【図１】  コロニアル瓦の平面図
【図２】  コロニアル瓦Ａ―Ａ矢視断面図
【図３】  コロニアル瓦を屋根板に釘で取り付けた状態の釘部断面図
【図４】  コロニアル瓦屋根の側面図
【図５】  コロニアル瓦屋根のＢ―Ｂ矢視断面図
【考案を実施するための形態】
【０００７】  コロニアル瓦の釘穴をゴム又は弾力材で塞ぐ。釘穴を塞ぐとき釘穴上部は、釘頭頂部より広くなるようにゴム又は弾力材を施工する。このように仕上げたコロニアル瓦を屋根板に金槌で釘で打ち付けると、コロニアル瓦が固定されるのと同時に釘がゴム又は弾力材に密着、圧着され雨水が侵入することを防ぐことで雨漏れが防止出来る。
【実施例】
【０００８】  以下、添付図面に従って実施例について説明すると、コロニアル瓦（１）本体にゴム又は弾力材（２）、を釘穴（４）に施工して塞ぐ。このとき釘穴（４）の上部は釘（３）頭頂部より広くなるように施工する。釘穴（４）を塞いだコロニアル瓦（１）、を屋根板（５）に貼り付け、釘穴（４）を塞いだゴム又は弾力材（２）に釘（３）を刺し金槌で打ち付け、コロニアル瓦（１）、を固定する。
【符号の説明】
【０００９】１      コロニアル瓦
２      ゴム、又は弾力材
３      釘
４      釘穴
５      屋根板
【図１】
0003234447.tif 000003
【図２】
0003234447.tif 000004
【図３】
0003234447.tif 000005
【図４】
0003234447.tif 000006
【図５】
0003234447.tif 000007
(57)【要約】【課題】家庭等における簡単な手作業で生豆を高レベルに焙煎できる低コストかつ小回りのきく焙煎用具を提供する。【解決手段】下半部Ａが取手１付きフライパン状を呈するとともに、そこから天井に向けてドーム状に隆起する上半部Ｂが形成され、かつその天井位置に略杓文字状撹拌用篦を出入するに足る円窓２を有するような、セラミックス一体成型物にする。【選択図】図１
0003234445.tif 000002
【実用新案登録請求の範囲】
【請求項１】
下半部が取手付きフライパン状を呈するとともに、そこから天井に向けてドーム状に隆起する上半部が形成され、かつその天井位置に略杓文字状撹拌用篦を出入するに足る円窓を有する、セラミックス一体成型物から成ることを特徴とするコーヒー豆等の焙煎用具。
【考案の詳細な説明】
【技術分野】
【０００１】この考案は、コーヒー生豆を始め、玄米、大豆、お茶等を、家庭やアウトドア、キャンプ等において、個人の手作業で手軽に高レベルに焙煎するための焙煎用具に関する。
【背景技術】
【０００２】コーヒーは日常的に広く飲用されている代表的な嗜好品であるが、今日ではそのほとんどが工場で生豆を大量焙煎したものをインスタントコーヒーやペットボトル入り飲料商品にしたり、或いは店舗や事業所等で業務用焙煎機器を設置して、自ら焙煎したものを直ちに粉砕しドリップするなどして飲用に供しているのが通例である。
【考案の開示】
【考案が解決しようとする課題】
【０００３】このような現状にあって、コーヒーこだわり愛好家にとっては納得できるまで高レベルのコーヒーを家庭で自ら作って飲用したいという欲求が依然としてある。
しかしながら現在市販されているコーヒー焙煎機器は小型のものでもかなり複雑でかさ張っており、必ずしも家庭で手軽に実施できるものとは言い難い。本考案はかかる問題点を解決して、家庭等における簡単な手作業で生豆を高レベルに焙煎できる低コストな焙煎用具を提供することを課題とする。
【課題を解決するための手段】
【０００４】図１に示すように、下半部Ａが取手１付きフライパン状を呈するとともに、そこから天井に向けてドーム状に隆起する上半部Ｂが形成され、かつその天井位置に略杓文字状撹拌用篦を出入するに足る図２に示すような円窓２を有するセラミックス一体成型物をもって、本考案のコーヒー豆等の焙煎用具とする。【０００５】ここで言う略杓文字状撹拌用篦（図示せず）とは、焙煎中の生豆をかき回すためのもので、特に限定した形状となるものではないが、概ね炊飯をかきまぜたり救い上げたりする杓文字に類似したものが好ましく、その先方の最広部において約７ｃｍの幅があるから、円窓２の直径も約７．５ｃｍ位が望ましい。一方、フライパン状の本体の直径は約１５ｃｍ又はそれ以上あるから、ドーム状に覆われている箇所は上半部の４分の３以上を占めることになる。【０００６】なおガス炎などの熱が直接当たる外底面部３には、必要に応じ特に高耐熱性のセラミックスを積層してもよい。その際、複数の直径の異なる同心円帯を若干の隙間を隔てて積層することにより、外底面の表面積や摩擦力を増やすなどの工夫を施すことは任意である。また本体の内底面部（図示せず）にも波状の凹凸を設けて熱の回りを良くするなどの工夫を施すことも任意である。
【考案の効果】
【０００７】このように本考案のコーヒー豆等の焙煎用具によれば、天井の円窓を除く全体がセラミックスで囲まれ覆われた形状であり、このセラミックスには一般的に加熱されると高度に遠赤外線を持続的に放出する物性があるから、コーヒー生豆にとっては撹拌用篦による掻き混ぜ作業とも相俟って、簡単容易な手作業のみで理想的な焙煎環境を得ることが可能となるから、個々の好みやこだわりに応じて最高級の煎れたてコーヒーを低コストかつ小回りのきくかたちで提供できるという効果がある。
【考案を実施するための形態】
【０００８】例えば取手１は直径約４５ｍｍ、長さ約１５０ｍｍのパイプ棒であって、本体よりやや斜め上方に向けて突出形成するものとし、本体の直径は約１５０ｍｍ、高さ約９０ｍｍで、これら全体をペタライト配合の耐熱性粘度を主材料に用い約１１８０℃で焼成する。またその外底面部３には厚さ１〜２ｍｍのペタライト層を焼き付け積層してそこに幅約２ｍｍの同心円状溝を約１０ｍｍ間隔毎に設ける。
また内底面には緩やかな波紋状の凹凸を形成する。また天井位置に設ける円窓２の直径を約７５ｍｍとする。なお本考案はかかる例に限定されるものではなく、また焙煎対象もコーヒー生豆に限定さるものではない。
【産業上の利用可能性】
【０００９】本考案のコーヒー豆等の焙煎用具には十分なニーズがあり、また既に製造技術や試作も完成しているから、産業上の利用可能性は十分にあるといえる。
【図面の簡単な説明】
【００１０】
【図１】本考案一例の側面図
【図２】本考案一例の平面図
【符号の説明】
【００１１】      １……取手
２……円窓
３……外底面部
Ａ……下半部
Ｂ……上半部
【図１】
0003234445.tif 000003
【図２】
0003234445.tif 000004
(57)【要約】      （修正有）【課題】ビンディングペダルにペダルプレートを設置すると、プレートの重量により踏み面側が下を向く。自転車乗り出しの際など、足先でペダルを回しながら踏み面を捉える必要があり操作が困難であるため、重心位置を変更し踏み面が常に天を向くペダルプレートを提供する。【解決手段】ペダル及びペダルプレート１が一体となったときの重心が、プレート踏み面に並行でペダル回転軸を含む面に対してプレート踏み面と逆側にあるように、ペダルプレートの踏み面とは逆側にバランス用の錘３を配したことでプレート踏み面が天を向くため、乗り出し時に踏み面を捉えやすく操作性向上に役立つ。【選択図】図２
0003234443.tif 000002
【実用新案登録請求の範囲】
【請求項１】
ペダルプレートの踏み面とは逆側にバランス用の錘を配し、ペダル及びペダルプレートが一体となったときの重心が、プレート踏み面に並行でペダル回転軸を含む面に対してプレート踏み面と逆側にあるような形状を主要な特徴とするペダルプレート。
【考案の詳細な説明】
【技術分野】
【０００１】
本考案は、ビンディングペダルに装着するペダルプレートに関するものである。
【背景技術】
【０００２】
競技用自転車等に装備されるビンディングペダルはペダルとシューズを一体として動力伝達の効率化を図るものであるが、ビンディングペダル踏み面にはシューズ底に装着された固定具をはめ込む凹凸がある為、通常の靴底がフラットな靴ではペダルを踏みこむことが出来ない。普段着用するような靴でビンディングペダル搭載車に乗る場合、ビンディングペダルにペダルプレートと呼ばれるアタッチメントを取り付け、踏み面上部を平らにする必要がある。
【考案の概要】
【考案が解決しようとする課題】
【０００３】
ビンディングペダルにペダルプレートを設置すると、プレートの重量により踏み面が下を向いてしまう。自転車乗り出しの際など、足先でペダルを回しながら踏み面を捉える必要があり操作が困難であるため、これを解決しようとするものである。
【課題を解決するための手段】
【０００４】
本考案は、ペダルプレートの踏み面とは逆側にバランス用の錘を配し、ペダル及びペダルプレートが一体となったときの重心が、プレート踏み面に並行でペダル回転軸を含む面に対してプレート踏み面と逆側にあるような形状を主要な特徴とする。
【考案の効果】
【０００５】
本考案のペダルプレートは、ビンディングペダルへ取り付けた際にプレート踏み面が天を向くため、踏み面を捉えやすく操作性向上に役立つ。
【図面の簡単な説明】
【０００６】
【図１】図１は本考案のペダルプレートの外観図である。
【図２】図２は本考案のペダルプレートの実施方法を示した説明図である。
【考案を実施するための形態】
【０００７】
ペダルプレート踏み面とは逆側にアームを伸ばし、その内部に錘を配置する。
【実施例１】
【０００８】
図２に本考案ペダルプレートの１実施例を示す。１はペダルプレート本体、２は錘、３は錘を配置するためのアームで、プレート本体とはヒンジ機構を介して接続されている。ヒンジ部には、ねじりスプリング４が設置されており、アーム部を踏むなど大きな力が加わらない限り、プレートとアームの角度は変わらないよう固定される。
【符号の説明】
【０００９】
１    ペダルプレート本体
２    アーム
３    錘
４    ねじりスプリング
【図１】
0003234443.tif 000003
【図２】
0003234443.tif 000004
【手続補正書】
【提出日】令和3年8月15日(2021.8.15)
【手続補正１】
【補正対象書類名】実用新案登録請求の範囲
【補正対象項目名】請求項１
【補正方法】変更
【補正の内容】
【請求項１】
ペダル及びペダルプレートが一体となったときの重心が、プレート踏み面に並行でペダル回転軸を含む面に対してプレート踏み面と逆側にあるように、ペダルプレートの踏み面とは逆側にバランス用の錘を配したことを特徴とするペダルプレート。